(57)【特許請求の範囲】
【請求項１】
防水をされるべき壁体１１に一端を固定して立設され、他端側に雄ねじ部１８を有するねじ部材１４と、
前記雄ねじ部１８の前記壁体側に設けた前記雄ねじ部１８よりも径の大きな大径部と、
前記雄ねじ部１８に一端を螺装し、他端に任意の構造材を支持する連結金具１５と、
前記雄ねじ部１８を貫通させて前記壁体１１を覆い、前記ねじ部材１４により支持される防水シート２１と、
前記雄ねじ部１８を挿通させるための中心孔２６を有し、かつ、前記防水シート２１に密着する止水部材２３とを備え、
この止水部材２３は、前記防水シート２１側にあってその防水シート２１に密着する、常温で粘着性を有し加圧すると流動する特性を持つ止水材２４と、この止水材２４を前記防水シート２１との間に挟んで包囲する凹陥部２７を有する補強材２５を備え、
前記補強材２５の中心孔径Ｄ１よりも、前記止水材２４の中心孔径Ｄ２が小さくなるように中心孔径が選定されており、
前記雄ねじ部１８に螺装された前記連結金具１５は、その端部を前記止水部材の中心孔に割り込ませて、前記大径部の防水シート２１に接する面と、前記連結金具１５の防水シート２１に接する面とで、前記防水シート２１を両側から挟んで、防水シート２１の貫通孔２２を塞ぎ、
前記連結金具１５は、前記止水部材２３の中心孔２６に割り込ませる防水シート２１側の端部を残して、前記止水部材２３全体を防水シート２１に押しつけるためのフランジ１５３を備えたことを特徴とする防水装置。
【請求項２】
請求項１に記載の防水装置において、
前記補強材２５は、ゴムやプラスチック等の弾性体もしくは軟質非弾性材料からなることを特徴とする防水装置。
【請求項３】
請求項１または２に記載の防水装置において、
前記止水部材２３は全体として円盤状をしており、前記止水部材２３の補強材２５には、中央に中心孔２６が設けられており、前記止水材２４を収容するためのすり鉢状の凹陥部２７が設けられていることを特徴とする防水装置。
【請求項４】
請求項１乃至３のいずれかに記載の防水装置において、
前記止水部材２３は全体として円盤状をしており、前記止水部材２３の補強材２５には、中央に中心孔２６が設けられており、止水材２４を収容するための凹陥部２７が設けられ、前記中心孔２６に近い部分の補強材２５の肉厚が他の部分よりも薄いことを特徴とする防水装置。
【請求項５】
請求項１乃至４に記載の防水装置において、
前記雄ねじ部１８に装着される前の前記補強材２５の中心孔径Ｄ１は、前記雄ねじ部１８の外形とほぼ等しく、前記止水材２４の中心孔径Ｄ２は、前記雄ねじ部１８の外形よりも小さいことを特徴とする防水装置。
【請求項６】
請求項１に記載の防水装置に使用されるものであって、
前記雄ねじ部１８を挿通させるための中心孔２６と、前記防水シート２１側にあってその防水シート２１に密着する、常温で粘着性を有し加圧すると流動する特性を持つ止水材２４と、この止水材２４を前記防水シート２１との間に挟んで包囲する凹陥部２７を有する補強材２５とを備え、
前記補強材２５の中心孔径Ｄ１よりも、前記止水材２４の中心孔径Ｄ２が小さくなるように中心孔径が選定されていることを特徴とする止水部材。
【請求項７】
請求項６に記載の止水部材において、
前記補強材２５の中心孔径Ｄ１は前記雄ねじ部１８の外形とほぼ等しく、前記止水材２４の中心孔径Ｄ２は、前記雄ねじ部１８の外形よりも小さいことを特徴とする止水部材。
【請求項８】
請求項６または７に記載の止水部材において、
全体として円盤状をしており、止水部材２３の補強材２５には、中央に中心孔２６が設けられており、止水材２４を収容するための凹陥部２７が設けられ、前記中心孔２６に近い部分の補強材２５の肉厚が他の部分よりも薄いことを特徴とする止水部材。
【請求項９】
請求項１に記載の防水装置に使用されるものであって、
前記雄ねじ部１８に一端を螺装し、他端に任意の構造材を支持するものであって、前記雄ねじ部１８に螺装された端部を前記止水部材の中心孔に割り込ませて、その端部の前記防水シート２１に接する面と前記大径部の防水シート２１に接する面とで、前記防水シート２１を両側から挟んで、前記防水シート２１の貫通孔２２を塞ぐように構成され、
前記防水シート２１側の前記止水部材の中心孔に割り込ませた端部を残して、前記止水部材２３全体を防水シート２１に押しつけるためのフランジ１５３が設けられていることを特徴とする連結金具。
【請求項１０】
請求項１に記載の防水装置を組み立てる工法であって、
前記雄ねじ部１８を挿通させるための中心孔２６と、前記防水シート２１側にあってその防水シート２１に密着する、常温で粘着性を有し加圧すると流動する特性を持つ止水材２４と、この止水材２４を前記防水シート２１との間に挟んで包囲する凹陥部２７を有する補強材２５を備え、前記補強材２５の中心孔径Ｄ１よりも、前記止水材２４の中心孔径Ｄ２が小さくなるように中心孔径が選定されている止水部材を、
前記壁体１１に立設された前記ねじ部材１４の雄ねじ部１８に装着するとき、
前記止水部材２３を前記雄ねじ部１８を軸にして回転させて、前記止水部材２３を前記防水シート２１に密着するまで移動させる間に、前記雄ねじ部１８の外周全体に前記止水材２４を絡み付かせることを特徴とする防水工法。
【請求項１１】
請求項１０に記載の防水工法において、
前記止水部材２３を前記連結金具１５とともに前記雄ねじ部１８を軸にして回転させて、前記止水材２４が防水シート２１に密着して止水部材２３が回転しなくなるまで前記連結金具１５の締め付けをし、雄ねじ部１８の外周面に前記止水材２４を絡み付かせることを特徴とする防水工法。
【請求項１２】
請求項１に記載の防水装置を組み立てる工法であって、
防水をされるべき壁体１１に一端を固定して立設され、他端側に雄ねじ部１８を有するねじ部材１４と前記雄ねじ部１８の前記壁体側に設けた前記雄ねじ部１８よりも径の大きな大径部とを複数所定間隔で立設し、
前記雄ねじ部１８を貫通させて前記壁体１１を覆い、前記ねじ部材１４により支持されるように防水シート２１を配置し、
前記雄ねじ部１８を挿通させるための中心孔２６を有する止水部材を前記雄ねじ部１８に装着し、
前記止水部材は、前記防水シート２１側にあって前記防水シート２１に密着する、常温で粘着性を有し加圧すると流動する特性を持つ止水材２４と、この止水材２４を防水シート２１との間に挟んで包囲する凹陥部２７を有する補強材２５を備え、前記補強材２５の中心孔径Ｄ１よりも、前記止水材２４の中心孔径Ｄ２が小さくなるように中心孔径が選定されているものであって、
前記止水部材２３を前記雄ねじ部１８を軸にして回転させて、前記止水部材２３を前記防水シート２１に密着するまで移動させる間に、前記雄ねじ部１８の外周全体に前記止水材２４を絡み付かせて、
前記止水材２４が前記防水シート２１に密着し、前記補強材２５が前記止水材２４を防水シート２１との間に挟んで包囲する状態にし、
前記雄ねじ部１８に連結金具１５の一端を螺装して締め付けて、前記雄ねじ部１８に螺装された連結金具１５の端部を前記止水部材の中心孔に割り込ませて、前記ねじ部材１４の大径部の防水シート２１に接する面と、前記連結金具１５の防水シート２１に接する面とで、前記防水シート２１を両側から挟んで、防水シート２１の貫通孔２２を塞ぐことを特徴とする防水工法。
【発明の詳細な説明】
【技術分野】
【０００１】
本発明は、山留め壁や連続地中壁等の壁面で、矢板控金具等の連結金具の壁面への取付部分からの漏水を防止することができる壁面の防水装置と止水部材と連結金具と防水工法に関する。
【背景技術】
【０００２】
従来、建物の地下階を建設する等の場合には、山留め壁や連続地中壁等の壁体に対向して型枠を設置し、壁体と型枠との間にコンクリートを打設してコンクリート壁を構築する。このコンクリート打設時に型枠に負荷される荷重を支持するため、型枠を壁体に固定するコンクリート型枠保持装置を使用する。
【０００３】
このコンクリート型枠保持装置は、壁体の壁面に取付けられたねじ部材と、このねじ部材に螺装連結された矢板控金具等の連結金具を備える。連結金具の他端で型枠を支持する。即ち、連結金具に一端が螺入されたセパレータと、セパレータの他端に取付けられたピーコン等の端止具とを備える。この端止具で型枠を内側から支持する。このとき、地下水がコンクリート型枠保持装置を伝わってコンクリート壁の内側に漏水する事故を防止する技術が既に開発されて、実用化されている（特許文献１）。
【特許文献１】特許第３０８３２７１号
【発明の開示】
【発明が解決しようとする課題】
【０００４】
上記の特許文献１に記載された技術は、コンクリート壁の内側への漏水防止技術として広く普及するに至っている。即ち、壁体の壁面にそって防水シートを配設して、防水シートを多数のねじ部材で支持固定するとともに、ねじ部材に螺装連結された、連結金具で止水部材を防水シートに押しつけて、ねじ部材が防水シートを貫通した部分の止水をする。施工が簡単で、素早く確実な止水ができるという特徴を持つ。しかしながら、近年増加している地下鉄の大深度地下工事等では、防水シートに加わる水圧が従来の想定値を越えることがあり、より高強度の防水装置の開発が要望されていた。
【０００５】
本発明は、以上の要望に応えるためになされたもので、特許文献１に記載された防水装置にさらに改良を加えた、壁面の防水装置と止水部材と連結金具と防水工法を提供することを目的とする。
【課題を解決するための手段】
【０００６】
以下の構成はそれぞれ上記の課題を解決するための手段である。
〈構成１〉
防水をされるべき壁体１１に一端を固定して立設され、他端側に雄ねじ部１８を有するねじ部材１４と、上記雄ねじ部１８に一端を螺装し、他端に任意の構造材を支持する連結金具１５と、上記雄ねじ部１８を貫通させて上記壁体１１を覆い、上記ねじ部材１４により支持される防水シート２１と、上記雄ねじ部１８を中心孔２６に挿通させ、上記連結金具１５と上記防水シート２１との間に挟み込まれる止水部材２３とを備え、この止水部材２３は、防水シート２１側にあって防水シート２１に密着する、常温で粘着性を有し加圧すると流動する特性を持つ止水材２４と、止水材２４を防水シート２１との間に挟んで包囲する凹陥部２７を有する補強材２５とからなることを特徴とする防水装置。
【０００７】
止水部材２３が、止水材２４とこの止水材２４を凹陥部に収容する補強材２５とを備えるので十分な量の、止水材２４を使用することができる。また、止水材２４を防水シート２１との間に挟んで包囲するので、圧縮されたとき、止水材２４を装置各部に万遍なく圧入する効果がある。さらに、補強材２５は、止水材２４を包囲するので、圧入された止水材２４を逃がさない効果がある。
【０００８】
〈構成２〉
防水をされるべき壁体１１に一端を固定して立設され、他端側に雄ねじ部１８を有するねじ部材１４と、上記雄ねじ部１８に一端を螺装し、他端に任意の構造材を支持する連結金具１５と、上記雄ねじ部１８を貫通させて上記壁体１１を覆い、上記ねじ部材１４により支持される防水シート２１と、上記雄ねじ部１８に螺装された上記連結金具１５の端部を中心孔２６に割り込ませ、防水シート２１側にあって防水シート２１に密着する、常温で粘着性を有し加圧すると流動する特性を持つ止水材２４と、止水材２４を防水シート２１との間に挟んで包囲する凹陥部２７を有する補強材２５とを備えたことを特徴とする防水装置。
【０００９】
連結金具１５を中心孔２６に割り込ませて、連結金具１５の端面で強く防水シート２１を押圧するので、防水シート２１の貫通孔付近の止水効果が高まる。
【００１０】
〈構成３〉
構成１または２に記載の防水装置において、上記補強材２５は、ゴムやプラスチック等の弾性体もしくは軟質非弾性材料からなることを特徴とする防水装置。
【００１１】
補強材２５は、ゴムやプラスチック等の弾性体もしくは軟質非弾性材料からなることが好ましい。止水材２４を収容し、圧縮されると止水材２４を装置各部に圧送し、柔軟に変形して防水シート２１等に密着する作用効果がある。
【００１２】
〈構成４〉
構成１乃至３のいずれかに記載の防水装置において、止水部材２３は全体として円盤状をしており、止水部材２３の補強材２５には、中央に中心孔２６が設けられており、止水材２４を収容するためのすり鉢状の凹陥部２７が設けられていることを特徴とする防水装置。
【００１３】
止水材２４を十分な量だけ収容することかでき、連結金具１５により止水材２４に圧力をかけやすい。
【００１４】
〈構成５〉
構成１乃至４のいずれかに記載の防水装置において、上記補強材２５の中心孔径Ｄ１よりも、上記止水材２４の中心孔径Ｄ２が小さいことを特徴とする防水装置。
【００１５】
止水材２４が雄ねじ部１８にからみつきやすい。
【００１６】
〈構成６〉
構成１乃至５のいずれかに記載の防水装置において、上記補強材２５の中心孔径Ｄ１は上記雄ねじ部１８の外形とほぼ等しく、上記止水材２４の中心孔径Ｄ２は、上記雄ねじ部１８の外形よりも小さいことを特徴とする防水装置。
【００１７】
止水部材２３を雄ねじ部１８に装着するとき、雄ねじ部１８の外周全面に止水材２４が付着し、さらに、補強材２５で止水材２４を雄ねじ部１８のねじ山にすり込む作用がある。
【００１８】
〈構成７〉
構成１乃至６のいずれかに記載の防水装置において、止水部材２３は全体として円盤状をしており、止水部材２３の補強材２５には、中央に中心孔２６が設けられており、止水材２４を収容するための凹陥部２７が設けられ、上記中心孔２６に近い部分の補強材２５の肉厚が他の部分よりも薄いことを特徴とする防水装置。
【００１９】
中心孔２６に近い部分の補強材２５の肉厚が他の部分よりも薄いので、雄ねじ部１８に近い部分に多量の止水材２４を収納できる。また、連結金具１５の端部が中心孔２６に割り込んで、防水シート２１にその端面を接するまで締め付けができる。
【００２０】
〈構成８〉
構成１乃至７のいずれかに記載の防水装置において、連結金具１５と雄ねじ部１８の壁体１１側に設けた大径部との間に、止水部材２３を介することなく防水シート２１を挟み込んで締め付け固定することを特徴とする防水装置。
【００２１】
雄ねじ部１８の壁体１１側には、例えば、工具掛け部１９のような雄ねじ部１８よりも径の大きな大径部を設ける。大径部の防水シート２１に接する面と、連結金具１５の防水シート２１に接する面とで、防水シート２１を両側から強固に挟む。これらの隙間には予め止水材２４が流れ込んでいる。従って、機械的にも強固で緩みの無い止水ができる。また、大径部の防水シート２１に接する面と、連結金具１５の防水シート２１に接する面が防水シート２１の貫通孔２２を完全に覆うように、これらの面の形状と寸法を選定すれば、防水シート２１の貫通孔を完全に封止することができる。
【００２２】
〈構成９〉
構成７または８に記載の防水装置において、連結金具１５には、止水部材２３の中心孔２６に挿入される端部を残してフランジ１５３が溶接されていることを特徴とする防水装置。
【００２３】
連結金具１５にフランジ１５３が溶接されていると、このフランジ１５３が止水部材２３全体を防水シート２１に押しつけるので、止水性が高まる。
【００２４】
〈構成１０〉
防水をされるべき壁体１１に一端を固定して立設され、他端側に雄ねじ部１８を有するねじ部材１４と、上記雄ねじ部１８に一端を螺装し、他端に任意の構造材を支持する連結金具１５と、上記雄ねじ部１８を貫通させて上記壁体１１を覆い、上記ねじ部材１４により支持される防水シート２１とを備えた防水装置において、上記連結金具１５と上記防水シート２１との間に挟み込まれて使用されるものであって、上記雄ねじ部１８を挿通させる中心孔２６と、防水シート２１側にあって防水シート２１に密着する、常温で粘着性を有し加圧すると流動する特性を持つ止水材２４と、止水材２４を防水シート２１との間に挟んで包囲する凹陥部２７を有する補強材２５とからなることを特徴とする止水部材。
【００２５】
〈構成１１〉
防水をされるべき壁体１１に一端を固定して立設され、他端側に雄ねじ部１８を有するねじ部材１４と、上記雄ねじ部１８に一端を螺装し、他端に任意の構造材を支持する連結金具１５と、上記雄ねじ部１８を貫通させて上記壁体１１を覆い、上記ねじ部材１４により支持される防水シート２１とを備えた防水装置において、上記連結金具１５と上記防水シート２１との境界を塞ぐように使用されるものであって、上記雄ねじ部１８を挿通させる中心孔２６と、防水シート２１側にあって防水シート２１に密着する、常温で粘着性を有し加圧すると流動する特性を持つ止水材２４と、止水材２４を防水シート２１との間に挟んで包囲する凹陥部２７を有する補強材２５とからなることを特徴とする止水部材。
【００２６】
〈構成１２〉
構成１０または１１に止水部材において、上記補強材２５の中心孔径Ｄ１よりも、上記止水材２４の中心孔径Ｄ２が小さいことを特徴とする止水部材。
【００２７】
〈構成１３〉
構成１２に記載の止水部材において、上記補強材２５の中心孔径Ｄ１は上記雄ねじ部１８の外形とほぼ等しく、上記止水材２４の中心孔径Ｄ２は、上記雄ねじ部１８の外形よりも小さいことを特徴とする止水部材。
【００２８】
〈構成１４〉
構成１０乃至１３のいずれかに記載の止水部材において、全体として円盤状をしており、止水部材２３の補強材２５には、中央に中心孔２６が設けられており、止水材２４を収容するための凹陥部２７が設けられ、上記中心孔２６に近い部分の補強材２５の肉厚が他の部分よりも薄いことを特徴とする止水部材。
【００２９】
〈構成１５〉
防水をされるべき壁体１１に一端を固定して立設され、他端側に雄ねじ部１８を有するねじ部材１４と、上記雄ねじ部１８を貫通させて上記壁体１１を覆い、上記ねじ部材１４により支持される防水シート２１とを備えた防水装置において、上記雄ねじ部１８に一端を螺装し、他端に任意の構造材を支持するものであって、上記雄ねじ部１８を挿通させる中心孔２６と、防水シート２１側にあって防水シート２１に密着する、常温で粘着性を有し加圧すると流動する特性を持つ止水材２４と、この止水材２４を保持する補強材を有する止水部材の、上記中心孔に挿入される端部を残してフランジ１５３が溶接されていることを特徴とする連結金具。
【００３０】
〈構成１６〉
防水をされるべき壁体１１に、一端を固定し他端側に雄ねじ部１８を有するねじ部材１４を複数本所定間隔で立設し、上記雄ねじ部１８を貫通させて上記壁体１１を覆い、上記ねじ部材１４により支持されるように防水シート２１を配置し、上記雄ねじ部１８を挿通させる中心孔２６を有し、常温で粘着性を有し加圧すると流動する特性を持つ止水材２４を収容した凹陥部２７を有する補強材２５を備えた止水部材２３を、上記雄ねじ部１８に装着して、当該雄ねじ部１８の外周面に上記止水材２４を付着させ、その後、上記雄ねじ部１８に一端を螺装し他端に任意の構造材を支持する連結金具１５を締め付けて、上記止水材２４が上記防水シート２１に密着し、上記補強材２５が上記止水材２４を防水シート２１との間に挟んで包囲するようにし、さらに上記連結金具１５を締め付けて、上記止水部材２３を加圧して、上記止水材２４を上記防水シート２１の貫通孔を通じて上記雄ねじ部１８の外周面と上記防水シート２１との隙間に流れ込ませることを特徴とする防水工法。
【００３１】
〈構成１７〉
構成１６に記載の防水工法において、上記雄ねじ部１８に螺装された上記連結金具１５の端部を上記止水部材２３の中心孔２６に割り込ませ、連結金具１５と雄ねじ部１８の壁体１１側に設けた大径部との間に、止水部材２３を介することなく防水シート２１を挟み込んで締め付け固定することを特徴とする防水工法。
【発明を実施するための最良の形態】
【００３２】
以下、本発明の実施の形態を実施例毎に詳細に説明する。
【実施例１】
【００３３】
図１は、本発明の防水装置の実施例１を説明する図で、（ａ）は装置の縦断面図、（ｂ）は同装置の分解部分縦断面図である。
本発明の防水装置は、土留め壁や連続地中壁等の壁面の防水に使用される。図１の（ａ）に示す壁体１１は、土留め壁や連続地中壁等の壁面である。壁体１１はコンクリート壁１２とＨ形鋼等の金属支柱１３とを備える。この金属支柱１３には、ねじ部材１４が取付られる。ねじ部材１４は、矢板控金具等の連結金具１５を金属支柱１３に固定するための支持部材である。
【００３４】
図の（ｂ）に示すように、ねじ部材１４は、タッピングねじ部１７と、雄ねじ部１８と、工具掛け部１９とを備えている。タッピングねじ部１７は、壁体１１の壁面に穿けられた取付穴１６に強制的にねじ込まれる部分である。雄ねじ部１８は、タッピングねじ部１７を取付穴１６にねじ込んだ際に壁面から突出する部分である。工具掛け部１９は、タッピングねじ部１７と雄ねじ部１８との間に設けられ、雄ねじ部１８よりも大径の六角ナット状をしている。工具掛け部１９には、雄ねじ部１８側から、図示しない電動工具に取付けた六角ボックススパナが装着されて、タッピングねじ部１７を回転させて取付穴１６にねじ込む。こうして、雄ねじ部１８が壁面にほぼ垂直に立設される。図１の（ａ）に示すように、ねじ部材１４を壁体１１に取付けた状態で、雄ねじ部１８には、連結金具１５が螺装連結される。
【００３５】
このねじ部材１４が取付けられた壁体１１の壁面には、図１（ａ）に示すように、ねじ部材１４の雄ねじ部１８を貫通させるようにして、防水シート２１が配設される。防水シート２１は、ねじ部材１４の雄ねじ部１８を貫通させて壁体１１を覆う。この防水シート２１の配設により、壁体１１にコンクリート壁１２側から地下水の漏れが発生した場合であっても、連結金具１５側への漏水を防止できる。なお、ねじ部材１４を壁体１１に固定して立設するために、タッピングねじ部１７を例示して説明するが、あとで説明するように、その他の固定方法を使用しても構わない。
【００３６】
防水シート２１は、例えば壁体１１側の薄いゴム層２１１と、連結金具１５側の補強用不織布２１２とを積層したものである。即ち、防水シート２１は、例えば、数ミリメートルの厚さの繊維補強された柔軟なシートである。ゴムシート、プラスチックシート等、任意のものが使用できる。この防水シート２１には、ねじ部材１４の雄ねじ部１８を貫通させるように、貫通孔２２（図２）が設けられる。後で図２を用いて説明するが、この貫通孔２２は雄ねじ部１８の端が突き当たった位置の防水シート２１をハンマ等を用いて殴打して明ける。雄ねじ部１８は、この貫通孔２２を貫いて連結金具１５側に突出する。ここまでの構成は、上記の特許文献１に詳述されている。
【００３７】
ここで、防水シート２１の貫通孔から突出した雄ねじ部１８には、止水部材２３を挟むように連結金具１５が螺装される。止水部材２３は、防水シート２１に密着する、例えば、非加硫ブチルゴム製の止水材２４と、この止水材２４を収容する凹陥部２７（図４）を有する補強材２５とから構成される。補強材２５は、ゴムやプラスチック等の弾性体であって、防水シート２１に密着する止水材２４を包囲する凹陥部２７を有することが好ましい。しかし、取り付け前は止水材２４を収容し、取り付け後は止水材２４の流失を防ぐように形状が保持できる特性を持てばよく、例えば、ポリエチレン等のように、軟質であるが非弾性材料であっても構わない。補強材２５の構造は後で図４により詳述する。止水材２４は、常温で粘着性を有し加圧すると流動してねじ等の隙間に流入する特性を持つ材料であることが好ましい。非加硫ブチルゴムが最も実用的であるが、他の樹脂材料で代用することもできる。温暖な地域と寒冷地とでは室温レベルの常温の範囲が大きく異なるが、この種の材料では、その粘性や流動性にほとんど大きな差異がみられない。
【００３８】
図１の（ａ）に示すように、雄ねじ部１８に連結金具１５を螺装して締め付けると、止水部材２３の止水材２４が防水シート２１に押しつけられる。壁体１１側の水は、ねじ部材１４を伝わって防水シート２１の貫通孔から連結金具１５側に漏出しようとする。ここで、止水材２４が防水シート２１に密着し、防水シート２１の貫通孔２２さらに、止水材２４が雄ねじ部１８に絡み付いて、ねじ部材１４の部分の止水が行なわれる。
【００３９】
図２は、防水装置の施工方法を示し、（ａ）から（ｄ）までは、その各段階の装置縦断面図である。
まず始めに、壁体１１の金属支柱１３に、電気ドリル等を用いて取付穴１６を穿ける。次に、ボックスレンチ状の電動工具を用いて、ねじ部材１４の工具掛け部１９を回転させ、取付穴１６にねじ部材１４のタッピングねじ部１７を強制的にねじ込む。これにより、図２（ａ）に示すように、雄ねじ部１８が壁体１の表面から突出した状態で、壁体１１にねじ部材１４が強固に取付けられる。
【００４０】
今度は、図２（ａ）に示すように、ねじ部材１４の雄ねじ部１８端面に接するように、壁体１１の壁面にそって防水シート２１を配設する。そして、防水シート２１のねじ部材１４が当たっている位置を、図の矢印の方向にハンマ等を用いて殴打する。すると、防水シート２１に、雄ねじ部１８に対応する孔２２が穿けられる。こうして、図２（ｂ）に示すように、孔２２を通して雄ねじ部１８が突出する。なお、この孔を穿け易くするために、刃物を用いて小さな傷を付けても構わない。しかし、大きく切り裂くと、防水シート２１の強度を低下させ、止水も容易でなくなる。刃物で傷を付ける場合でも、雄ねじ部１８の径以下の傷を付け、雄ねじ部１８を貫通孔２２に挿入するときに、その孔径を押し広げるようにすることが好ましい。
【００４１】
このようにして、雄ねじ部１８を防水シート２１の貫通孔２２から突出させた後に、図１（ｃ）に示すように、突出している雄ねじ部１８に、止水部材２３を装着する。止水材２４が防水シート２１に対面するように止水部材２３を装着する。その後、図１（ｄ）に示すように、雄ねじ部１８に連結金具１５を螺装するとともに、連結金具１５を図示しない電動工具等を用いて締付ける。
【００４２】
連結金具１５を回転させて締付けをすると、締付け当初は、止水部材２３も連結金具１５とともに雄ねじ部１８を軸にして回転する。このとき、柔軟で粘着性の高い非加硫ブチルゴム製の止水材２４が雄ねじ部１８の外面に絡み付く。即ち、止水部材２３の補強材２５と雄ねじ部１８の外周面との間が絡み付いた止水材２４によって密閉される。
【００４３】
連結金具１５をさらに締付けていくと、止水材２４が防水シート２１に密着して止水部材２３が回転しなくなる。この状態で止水部材２３は、連結金具１５により防水シート２１側に押付けられる。すると、止水材２４の一部は、防水シート２１の貫通孔２２と雄ねじ部１８との隙間に送り込まれて、この部分を密閉する。さらに、止水材２４の他の一部は、連結金具１５と雄ねじ部１８との間に送り込まれてこの部分を密閉する。このため、雄ねじ部１８の防水シート２１貫通部分が、止水材２４によって完全に密閉される。
【００４４】
図３の（ａ）は実施例１の防水装置の縦断面図、（ｂ）は特許文献１の防水装置の縦断面図である。
この図を用いて、特許文献１の防水装置と比較して、実施例１の防水層の改良点を説明する。まず、図の（ａ）において、連結金具１５を締め付けると、連結金具１５は止水部材２３を防水シート２１に強く押しつけた状態で止まる。（ｂ）においても、連結金具１５を締め付けると、連結金具１５は止水部材２を防水シート２１に強く押しつけた状態で止まる。防水シート２１には、矢印のように水圧が加わる。そして、大深度地下のようにきわめて高い水圧が加わると、防水シート２１に密着した止水材２４を押しのけて水が漏出しようとする。
【００４５】
図２を用いて説明したように、連結金具１５を締め付けていく過程で、止水材２４が、ねじ部材１４の外周面や防水シート２１の貫通孔２２に流れ込む。即ち、止水材２４は連結金具１５とねじ部材１４の雄ねじ部１８との間、止水部材２３と雄ねじ部１８との間、防水シート２１の貫通孔２２と雄ねじ部１８との間の隙間に流れ込んでこの間を密閉する機能を持つ。図の（ｂ）に示す止水部材２の場合、連結金具１５を締め付けると、図のほぼＷの幅の止水材２４が高い圧力を受けて各隙間に流れ込む。それ以外の止水材２４は止水部材２の中心から放射方向に押し出される。
【００４６】
一方、図の（ａ）に示す止水部材２３の場合、補強材２５が止水材２４を包囲するように、止水材２４を凹陥部２７に収容しているので、止水材２４は外方に押し出され難い。即ち、止水材２４は防水シート２１と補強材２５との間に止まって、止水力を保持する。しかも、（ａ）と（ｂ）とを比較して分かるように、実施例１の止水部材２３は、止水材２４をより多く収容できる。連結金具１５が補強材２５を防水シート２１の方向に押すと、止水材２４がその圧力で雄ねじ部１８の外周の各部に流れ込むが、止水材２４の量が多ければ、十分に広範囲に流れ込む。防水シート２１と工具掛け部１９の間にも十分に流れ込む。これが、止水力をより向上させる。さらに、補強材２５が防水シート２１との間に止水材２４を閉じこめるように包囲しているので、水圧等に押されて流れ出そうとする止水材２４を押し止めるという効果もある。
【００４７】
大深度地下等の高い水圧に耐えるためには、ねじ部材１４をこれまでよりも大径化する必要がある。そのねじ部材１４の外周面全体に止水材２４を流れ込ませようとすると、止水材２４の増量が必要になる。（ｂ）の構成の止水部材２では止水材２４の厚さを従来よりも増やさなければならない。しかし、止水材２４は糊状の材料なので、あまり厚く盛り上げることが難しい。しかも、止水部材２の中心から放射方向に押し出された止水材２４は外部に溢れ出て、周囲を汚す原因になる。これに対して、実施例１の止水部材２３は止水材２４をより多く収容できる上に、止水材２４が周囲に溢れ出し難いという効果がある。
【実施例２】
【００４８】
図４は、実施例２の防水装置の説明図である。
図の（ａ）は、止水部材２３の斜視図である。この図に示すように、止水部材２３は全体として円盤状をしている。止水部材２３の補強材２５には、中央に中心孔２６が設けられており、止水材２４を収容するためのすり鉢状の凹陥部２７が設けられている。中心孔２６は雄ねじ部１８を挿通するためのものである。例えば、図の（ｂ）に示すように、凹陥部２７は一定の深さのものであって構わない。補強材２５に止水材２４が収容され、防水シート２１に補強材２５を密着させると、止水材２４を凹陥部２７に閉じこめるような構造が好ましい。
【００４９】
防水シート２１を密着させる前には、止水材２４を覆うフィルム状のセパレータ２９を貼り付けておく。セパレータ２９がほぼ完全に止水材２４を覆うので、運搬時に他の部材を汚さない。また、図のように、補強材２５の中心孔径Ｄ１よりも、止水材２４の中心孔径Ｄ２を小さく選定することが好ましい。さらに、補強材２５の中心孔径Ｄ１は雄ねじ部１８の外形とほぼ等しく、止水材２４の中心孔径Ｄ２は、雄ねじ部１８の外形よりも小さいことが好ましい。これにより、止水部材２３を雄ねじ部１８に装着するとき、雄ねじ部１８の外周全面に止水材２４が付着し、さらに、補強材２５で止水材２４を雄ねじ部１８のねじ山にすり込む作用を及ぼす。従って、止水材２４が雄ねじ部１８全面に十分に行き渡る。止水材２４の絶対量が不足すると、防水シート２１の貫通孔側に流れ込むだけの止水材２４が確保できなくなる。補強材２５の凹陥部２７に止水材２４を収容する構造にすれば、止水材２４の量を十分に確保できる。
【００５０】
さらに、凹陥部２７は、図４（ｃ）や（ｄ）に示すように、円盤状の止水部材２３の中心孔２６に近いほど深いすり鉢状であることが好ましい。図４（ｄ）は段部２８を設けて、凹陥部２７をすり鉢状にしている。即ち、補強材２５は中心孔２６に近いほどその肉厚が薄くなるように構成されている。これは、次のような効果が期待できる。図の（ｅ）は、連結金具１５を強くねじ込んだときの、防水装置の縦断面図である。このように、連結金具１５を強くねじ込むと、連結金具１５の端部が補強材２５の凹陥部２７を押し広げて防水シート２１にまで達する。
【００５１】
防水装置をこのような構造にすると、連結金具１５と防水シート２１とは止水材２４を挟み込むようにして密着する。止水材２４は防水シート２１の貫通孔とねじ部材１４の外周面の隙間や、工具掛け部１９と防水シート２１の間に流れ込む。連結金具１５を強く締め付けると、連結金具１５と工具掛け部１９の間に防水シート２１が挟み込まれる。防水シート２１に設けられた貫通孔２２は連結金具１５と工具掛け部１９とに挟み込まれて塞がれる。止水効果が上がり、機械的にも強くなる。補強材２５は連結金具１５と防水シート２１の接触面外周を包囲して、止水材２４により防水壁を作る。止水材２４を閉じこめているので、止水材２４は外部へ流れ出さない。止水材２４の量が多ければ縁面距離が長くなり、連結金具１５と防水シート２１との間から水が漏出するのを防ぐ効果がある。
【００５２】
図４の（ｅ）に示すような構造にすると、止水効果が上がり機械的にも強くなる。ところが、補強材２５の中心孔２６を無理に押し広げるので、補強材２５が全体に変形して、止水材２４を取り囲む機能が損なわれることもある。ここで、補強材２５が、中心孔２６に近いほどその肉厚が薄くなるように構成されていると、補強材２５の中心孔２６付近は変形し易く、中心孔２６が押し広げられても補強材２５全体の形状に影響が及ばない。なお、図４（ｅ）の連結金具１５の左側に連結金具１５の端面図を示した。この図のように、例えば、連結金具１５は、その両端が締め付け用工具を装着できるように６角形に加工されている。補強材２５の中心孔２６周囲の肉厚が薄ければ、このような外形の連結金具１５を補強材２５の円形の中心孔２６に挿入することができる。
【実施例３】
【００５３】
図５は、フランジを取り付けた連結金具を使用した防水装置の縦断面図である。
図の（ａ）は組み立て前の状態の分解縦断面図、（ｂ）は組み立て後の状態の縦断面図である。図のように、連結金具１５には、止水部材２３の中心孔２６に挿入される端部を残してフランジ１５３が溶接されている。装置を組み立てるには、これまでと同様に、防水シート２１に貫通孔を形成して雄ねじ部１８を通し、図の左側から止水部材２３を装着する。止水部材２３を防水シート２１に密着するまで移動させる間に、止水部材２３の止水材が雄ねじ部１８の外周全体にからみつく。その後連結金具１５を雄ねじ部１８に螺装し締め付けていくと、フランジ１５３が止水部材２３全面を押して防水シート２１に密着させる。同時に、連結金具１５の端面が止水部材２３の中心孔２６に割り込んで防水シート２１に達する。
【００５４】
実施例２と同様に、連結金具１５を強く締め付けて、止水部材２３の中心孔２６を押し広げ、連結金具１５と工具掛け部１９とで、防水シート２１を直接挟み付ける。このとき、フランジ１５３が止水部材２３全体を防水シート２１に押しつけるように作用する。従って、止水部材２３の補強材２５が防水シート２１によく密着して、止水材２４を閉じこめたまま逃がさないという効果がある。また、高い水圧が加わっても、防水シート２１が止水部材２３を変形させることがない。
【００５５】
図６は上記の連結金具１５を使用した防水装置のさらに別の実施例縦断面図である。
図の（ａ）では、十分厚みのある止水部材２３を使用している。従って、フランジ１５３と防水シート２１とで止水部材２３を挟み、連結金具１５を締め付けることにより、高い止水性を確保している。止水部材２３が厚いので連結金具１５の端面は防水シート２１に達していない。この場合でも、止水部材２３中の止水材がねじ部材１４のねじ山に流れ込んで止水効果を高めている。なお、フランジ１５３を備えた連結金具１５は、図３（ｂ）で説明した既知の止水部材２を用いても、高い止水性を確保できる。即ち、フランジ１５３と防水シート２１とで止水部材２を挟んで加圧するとともに、連結金具１５の端面が防水シート２１に達しているので、止水材が必要な量だけ各部に流入すれば、高い圧力に耐えることができる。
【００５６】
図７は、止水部材２３の配置を変えた例を示す防水装置の縦断面図である。
この図に示すように、止水部材２３を防水シート２１よりも壁体１１側に配置することもできる。止水部材２３をねじ部材１４に装着するときに、止水材が雄ねじ部１８にからみつく。この場合も止水材を防水シート２１に密着させて、止水効果を得ることができる。
【００５７】
上記の各実施例において、例えば、図４の（ｅ）に示した連結金具１５は、両端に工具掛け部１５２を備えていた。しかし、一端にのみ工具掛け部１５２を設けて構わない。壁体１１側には、工具掛け部１５２を設ける必要は無い。上記の実施例では工具掛け部１５２は六角ナット状をしていたが、レンチ等の工具で回転させることができる任意の形状であって構わない。また、上記のねじ部材１４を固定する壁体１１の例として、金属支柱１３を示したが、壁体１１の構造は任意である。例えば、コンクリートのみの壁でもよい。このときは、ねじ部材１４をコンクリートアンカーにより固定するとよい。また、壁体１１は矢板等の木製の壁でもよい。ねじ部材１４を木ねじやボルトを用いて固定するとよい。
【００５８】
また、ねじ部材１４を金属支柱１３に固定する方法として、ねじ部材１４の一端に設けたタッピングねじ部１７を利用したが、金属棒を金属板上に固定するような任意の既存技術を採用できる。即ち、圧入、はめ込み、溶接、ボルト締めその他の方法も自由に採用できる。いずれの場合にも、壁体の一面に所定の間隔で雄ねじ部１８を立設できればよい。
【００５９】
従って、雄ねじ部１８の壁体１１側には、工具掛け部１９が無いものもある。このときは、例えば、ワッシャのような大径部を雄ねじ部１８の壁体１１側に設けることが好ましい。これにより、連結金具１５とその大径部との間に、防水シート２１を挟み込んで、図４（ｅ）で説明したような作用効果を得ることができる。また、連結金具１５の他端側で支持する構造材は任意である。上記の例では、コンクリート型枠を示したが、例えば、鉄製のフレーム、ブラケット、アングル等を、連結金具１５の他端で支持するようにしても構わない。また、止水部材２３は連結金具１５と防水シート２１との境界部分を包囲して、止水材２４を保持する形状であればよく、円盤状でなくてコーン状のものやスリーブ状のもの、あるいはブーツ状のものであっても構わない。
【図面の簡単な説明】
【００６０】
【図１】本発明の防水装置の実施例１を説明する図で、（ａ）は装置の縦断面図、（ｂ）は同装置の分解部分縦断面図である。
【図２】防水装置の施工方法を示し、（ａ）から（ｄ）までは、その各段階の装置縦断面図である。
【図３】（ａ）は実施例１の防水装置の縦断面図、（ｂ）は特許文献１の防水装置の縦断面図である。
【図４】実施例２の防水装置の説明図で、（ａ）は止水部材２３の斜視図、（ｂ）から（ｄ）は止水部材２３の縦断面図、（ｅ）はこれを使用した防水装置の縦断面図である。
【図５】フランジを取り付けた連結金具を使用した防水装置の組み立て前と後の縦断面図である。
【図６】上記の連結金具１５を使用した防水装置の別の実施例縦断面図である。
【図７】止水部材２３の配置を変えた防水工法説明のための縦断面図である。
【符号の説明】
【００６１】
１１  壁体
１２  コンクリート壁
１３  金属支柱
１４  ねじ部材
１５  連結金具
１６  取付穴
１７  タッピングねじ部
１８  雄ねじ部
１９  工具掛け部
２１  防水シート
２２  貫通孔
２３  止水部材
２４  止水材
２５  補強材
２６  中心孔
２７  凹陥部
３３  止水部材
３５  補強材
４０  仕上げ剤
４１  防水シート
４２  パッキング
５０  カッタ
６４  ねじ部材
６７  タッピングねじ部
６８  雄ねじ部
６９  工具掛け部
１５２  工具掛け部
１５３  フランジ
２１１  ゴム層
２１２  補強層
【図１】
0004294707.tif 000002
【図２】
0004294707.tif 000003
【図３】
0004294707.tif 000004
【図４】
0004294707.tif 000005
【図５】
0004294707.tif 000006
【図６】
0004294707.tif 000007
【図７】
0004294707.tif 000008